(57)【特許請求の範囲】
【請求項１】
予めユーザ端末にインストールされたメニューバー、ツールバー等の作業指示ボタン配置領域及び主ウインドウを表示させるブラウザに、当該ブラウザが本来表示するものとは異なる追加の機能ボタン及び／又は小領域を、当該ブラウザ画面に常に現れている部位である前記作業指示ボタン配置領域に表示するプログラムを含む追加機能ソフトウェアがさらに前記ユーザ端末にインストールされ、それによって前記主ウインドウに表示される内容にかかわらず前記追加の機能ボタン及び／又は小領域が前記ブラウザの前記作業指示ボタン配置領域に表示され続けてその機能が発揮されるようにする工程と、
前記ユーザ端末の前記追加の機能ボタン及び／又は小領域が、所定のホームページを実際に見たユーザの当該ホームページの評価結果を集めるためのものであって、前記追加の機能ボタンがユーザが閲覧したホームページの評価をユーザが行うためのボタンであり、前記小領域がユーザが閲覧したホームページの特徴を示す検索のキーワードとなる単語をユーザが入力するための領域であり、前記ユーザ端末は、当該追加の機能ボタンを介してユーザによって入力された当該ホームページの評価を、前記小領域に単語が入力された場合にあってはキーワードとなる前記単語と関連付けて、評価結果とし、当該評価結果をユーザ端末内に保存すると共に前記監視サーバに送信する工程と、
前記監視サーバは、前記ユーザ端末から送信されてきた前記評価結果を集めてランキング又は統計処理する工程と、
前記監視サーバは、前記ランキング又は統計処理の結果を欲する前記ユーザ端末とは異なる別のユーザ端末に当該ランキング又は統計処理の結果を提供する工程と、
を有してなることを特徴とするブラウザ画面の表示方法。
【請求項２】
請求項１に記載のブラウザ画面の表示方法において、
前記別のユーザ端末と前記ユーザ端末とが通信回線を介して接続されると共に、前記別のユーザ端末には前記ブラウザ及び前記追加機能ソフトウェアがインストールされ、
前記ユーザ端末がアクセスしたホームページの履歴情報であって、アクセスしたホームページのＵＲＬ履歴と共に当該ホームページの特徴を表すジャンル情報、人名、キーワード等の付帯情報を含む履歴情報を前記ユーザ端末のブラウザ内に保持する工程と、
前記別のユーザ端末が前記監視サーバから受け取った前記ランキング又は統計処理の結果に基づいて前記別のユーザ端末が履歴情報の取得の要求をした場合に、前記ユーザ端末は前記ブラウザに保持された履歴情報を、通信回線を介して、履歴情報の取得を要求をしてきた前記別のユーザ端末に送信する工程と、
前記別のユーザ端末は、送信されてきた履歴情報及び付帯情報を前記別のユーザ端末に表示されたブラウザの前記小領域又は前記追加機能ソフトウェアが有する機能によって呼び出される小ウインドウ若しくはブラウザにツリー表示して、前記別のユーザ端末のユーザにいずれかのホームページを選択させ、選択されたホームページのＵＲＬの記述に従い当該ホームページにアクセスする工程と、
を備え、それによって前記ユーザ端末に記録されているホームページのアクセス履歴を水先案内として、内容の良いホームページに短時間で到達するようにしてなることを特徴とするブラウザ画面の表示方法。
【請求項３】
通信回線を介して各種ウエブのホームページを閲覧するためのブラウザ画面の表示システムであって、
ユーザ端末内に備えられ、少なくとも、メニューバー、ツールバー等の作業指示ボタン配置領域及び主ウインドウを前記ユーザ端末のモニタ画面に表示させるブラウザと、
前記ブラウザが本来表示するものとは異なる追加の機能ボタン及び／又は小領域を当該ブラウザ画面に常に現れている部位である前記作業指示ボタン配置領域に表示され続けるようにして前記主ウインドウに表示される内容にかかわらずその機能を発揮させるようにする追加機能表示制御部と、
を備え、
前記ユーザ端末の前記追加の機能ボタン及び／又は小領域が、所定のホームページを実際に見たユーザの当該ホームページの評価結果を集めるためのものであって、前記追加の機能ボタンがユーザが閲覧したホームページの評価を行うためのボタンであり、前記小領域がユーザが閲覧したホームページの特徴を示す検索のキーワードとなる単語を入力するための領域であり、
前記ユーザ端末は、ユーザによって前記小領域へ入力された単語をユーザが実際に見たホームページの特徴を示す検索のキーワードとして認識する検索キーワード認識制御手段と、
前記追加機能ボタンのクリックをアクセスした当該ホームページの評価と認識する評価認識手段と、そして、
前記追加の機能ボタンを介してユーザによって入力された当該ホームページの評価を、前記小領域に単語が入力された場合にあってはキーワードとなる前記単語と関連付けて評価結果として前記ユーザ端末内に保存すると共に前記監視サーバに送信する評価結果保持手段と、をさらに備え、
一方、前記ユーザ端末及び前記ユーザ端末とは異なる別のユーザ端末とが通信回線を介して接続された所定の監視サーバを備え、前記監視サーバは、前記評価結果保持手段から送信されてきた前記評価結果を集めてランキング又は統計処理する人気度処理手段を備え、それによって、前記ランキング又は統計処理の結果を欲する前記別のユーザ端末は前記監視サーバから前記ランキング又は統計処理の結果を受け取ることを可能としたことを特徴とするブラウザ画面の表示システム。
【請求項４】
請求項３に記載のブラウザ画面の表示システムにおいて、
前記別のユーザ端末と前記ユーザ端末とが通信回線を介して接続されると共に、前記別のユーザ端末は前記ブラウザ及び前記追加機能表示制御部を備え、
前記ユーザ端末は、前記ユーザ端末がアクセスしたホームページの履歴情報であって、アクセスしたホームページのＵＲＬ履歴と共に当該ホームページの特徴を表すジャンル情報、人名、キーワード等の付帯情報を含む前記履歴情報を前記ユーザ端末のブラウザ内に保持しておく履歴情報保持手段を備え、
前記別のユーザ端末は、前記通信回線を介して前記監視サーバから前記ランキング又は統計処理の結果を受け取ると共にその結果に基づいて前記通信回線を介して前記ユーザ端末から前記履歴情報を受け取り、前記別のユーザ端末のブラウザの前記小領域又は小ウインドウ若しくはブラウザに前記履歴情報を表示する際、当該履歴情報に関連した前記付帯情報をツリー表示することによって前記ユーザ端末に記録されているホームページのアクセス履歴を水先案内として、内容の良いホームページに短時間で到達するようにしたことを特徴とするブラウザ画面の表示システム。
【請求項５】
請求項１又は２に記載のブラウザ画面の表示方法を実行するプログラムを記録したコンピュータ読み取り可能な記録媒体。
【発明の詳細な説明】
【技術分野】
【０００１】
この発明は、ブラウザ画面の表示方法、表示システム及び記録媒体に係る。特に、ブラウザ画面の基本部分、すなわち、メニューバー、ツールバー等作業指示ボタン配置領域にソフトをインストールすることによりそのソフトの利用率を向上させたブラウザ画面の表示方法、表示システム及び記録媒体に関するものである。
【背景技術】
【０００２】
今後のコンピュータ利用は、大部分ブラウザをベースに行われることが予想されている。ブラウザは、ファイルの内容を見るためのソフトウエアで、例えば、インターネットを介して種々のホームページを閲覧するために開発されたＩｎｔｅｒｎｅｔ Ｅｘｐｌｏｒｅ（Ｍｉｃｒｏｓｏｆｔ社の登録商標）やＮｅｔｓｃａｐｅ Ｎａｖｉｇａｔｏｒ（Ｎｅｔｓｃａｐｅ社の登録商標）が有名である。ブラウザ画面には、概略的に、メニューバー、ツールバー等作業指示ボタン配置領域及び主ウインドウが備えられている。第２図は、Ｉｎｔｅｒｎｅｔ Ｅｘｐｌｏｒｅを用いてあるホームページを開いた状態の説明図である。ブラウザ画面１０には、上部に配置された作業指示ボタン配置領域１２とブラウザで見ようとしている内容を表示する主ウインドウ１４とが設けられている。
【発明の開示】
【発明が解決しようとする課題】
【０００３】
ところで、Ｙａｈｏｏ（Ｙａｈｏｏ−Ｊａｐａｎ社の登録商標）等の検索エンジンは、インターネットで利用できる海外のＷＷＷサーバの分野別リストが簡単に閲覧できることから、毎日多くの利用者がアクセスしてくる。このような利用者を狙って、Ｙａｈｏｏホームページの主ウインドウには広告のための小表示領域が設けられており、このスペースに各種の広告内容が表示されるようになっている。Ｙａｈｏｏへのアクセス数は膨大であり、放送や新聞といった従来型の宣伝媒体に代わる新しいメディアとして注目されるようになってきた。しかしながら、インターネットのホームページに設けられた小表示領域に広告を張る方法では、そのホームページにユーザが訪れないと広告を見せることができない欠点があった。
【０００４】
また、インターネットのホームページへのアクセス数を集計しランキングするサービスは現在ある。しかしながら、この方法は、内容についての評価を反映しない欠点がある。あるいは、その主ウインドウ内に投票ボタンを設け、このホームページの評価をユーザに投票してもらいランキングするサービスも現在ある。しかしながら、この方法も、ホームページに対して投票しようとすると投票用ホームページに移動する。投票用アプリケーションを別途立ち上げる必要がある等操作性に問題があった。
【０００５】
さらに、インターネット上の検索エンジンは、検索結果がホームページとして表示される。結果として出力されたホームページを見た後に、別のホームページを見ようとする時、検索結果のホームページにいちいち戻る必要がある欠点を有していた。
本発明は、上述したような従来技術の欠点・問題点を解決したもので、ブラウザで利用される種々のソフトウエアの操作性、利用率を向上させることができるブラウザ画面の表示方法、表示システム及び記憶記録媒体を提供することを目的とする。
【課題を解決するための手段】
【０００６】
本発明の第一の態様は、上記した目的を達成するためのもので、予めユーザ端末にインストールされたメニューバー、ツールバー等の作業指示ボタン配置領域及び主ウインドウを表示させるブラウザに、当該ブラウザが本来表示するものとは異なる追加の機能ボタン及び／又は小領域を、当該ブラウザ画面に常に現れている部位である作業指示ボタン配置領域に表示するプログラムを含む追加機能ソフトウェアがさらにユーザ端末にインストールされ、それによって主ウインドウに表示される内容にかかわらず追加の機能ボタン及び／又は小領域がブラウザの作業指示ボタン配置領域に表示され続けてその機能が発揮されるようにする工程と、ユーザ端末の追加の機能ボタン及び／又は小領域が、所定のホームページを実際に見たユーザの当該ホームページの評価結果を集めるためのものであって、追加の機能ボタンがユーザが閲覧したホームページの評価をユーザが行うためのボタンであり、小領域がユーザが閲覧したホームページの特徴を示す検索のキーワードとなる単語をユーザが入力するための領域であり、ユーザ端末は、当該追加の機能ボタンを介してユーザによって入力された当該ホームページの評価を、小領域に単語が入力された場合にあってはキーワードとなる単語と関連付けて、評価結果とし、当該評価結果をユーザ端末内に保存すると共に監視サーバに送信する工程と、監視サーバは、ユーザ端末から送信されてきた評価結果を集めてランキング又は統計処理する工程と、監視サーバは、ランキング又は統計処理の結果を欲するユーザ端末とは異なる別のユーザ端末に当該ランキング又は統計処理の結果を提供する工程とを有してなることを特徴とするブラウザ画面の表示方法を提供する。
【０００７】
請求項２に記載の本発明は、請求項１に記載のブラウザ画面の表示方法において、別のユーザ端末とユーザ端末とが通信回線を介して接続されると共に、別のユーザ端末にはブラウザ及び追加機能ソフトウェアがインストールされ、ユーザ端末がアクセスしたホームページの履歴情報であって、アクセスしたホームページのＵＲＬ履歴と共に当該ホームページの特徴を表すジャンル情報、人名、キーワード等の付帯情報を含む履歴情報をユーザ端末のブラウザ内に保持する工程と、別のユーザ端末が監視サーバから受け取ったランキング又は統計処理の結果に基づいて別のユーザ端末が履歴情報の取得の要求をした場合に、ユーザ端末はブラウザに保持された履歴情報を、通信回線を介して、履歴情報の取得を要求をしてきた別のユーザ端末に送信する工程と、別のユーザ端末は、送信されてきた履歴情報及び付帯情報を別のユーザ端末に表示されたブラウザの小領域又は追加機能ソフトウェアが有する機能によって呼び出される小ウインドウ若しくはブラウザにツリー表示して、別のユーザ端末のユーザにいずれかのホームページを選択させ、選択されたホームページのＵＲＬの記述に従い当該ホームページにアクセスする工程とを備え、それによってユーザ端末に記録されているホームページのアクセス履歴を水先案内として、内容の良いホームページに短時間で到達するようにしてなることを特徴とする。
【００２２】
本発明の第二の態様は、通信回線を介して各種ウエブのホームページを閲覧するためのブラウザ画面の表示システムであって、ユーザ端末内に備えられ、少なくとも、メニューバー、ツールバー等の作業指示ボタン配置領域及び主ウインドウをユーザ端末のモニタ画面に表示させるブラウザと、ブラウザが本来表示するものとは異なる追加の機能ボタン及び／又は小領域を当該ブラウザ画面に常に現れている部位である作業指示ボタン配置領域に表示され続けるようにして主ウインドウに表示される内容にかかわらずその機能を発揮させるようにする追加機能表示制御部とを備え、ユーザ端末の追加の機能ボタン及び／又は小領域が、所定のホームページを実際に見たユーザの当該ホームページの評価結果を集めるためのものであって、追加の機能ボタンがユーザが閲覧したホームページの評価を行うためのボタンであり、小領域がユーザが閲覧したホームページの特徴を示す検索のキーワードとなる単語を入力するための領域であり、ユーザ端末は、ユーザによって小領域へ入力された単語をユーザが実際に見たホームページの特徴を示す検索のキーワードとして認識する検索キーワード認識制御手段と、追加機能ボタンのクリックをアクセスした当該ホームページの評価と認識する評価認識手段と、そして、追加の機能ボタンを介してユーザによって入力された当該ホームページの評価を、小領域に単語が入力された場合にあってはキーワードとなる単語と関連付けて評価結果としてユーザ端末内に保存すると共に監視サーバに送信する評価結果保持手段と、をさらに備え、一方、ユーザ端末及びユーザ端末とは異なる別のユーザ端末とが通信回線を介して接続された所定の監視サーバを備え、監視サーバは、評価結果保持手段から送信されてきた評価結果を集めてランキング又は統計処理する人気度処理手段を備え、それによって、ランキング又は統計処理の結果を欲する別のユーザ端末は監視サーバからランキング又は統計処理の結果を受け取ることを可能としたことを特徴とするブラウザ画面の表示システムを提供する。
【００２３】
請求項４に記載の本発明は、請求項３に記載のブラウザ画面の表示システムにおいて、別のユーザ端末とユーザ端末とが通信回線を介して接続されると共に、別のユーザ端末はブラウザ及び追加機能表示制御部を備え、ユーザ端末は、ユーザ端末がアクセスしたホームページの履歴情報であって、アクセスしたホームページのＵＲＬ履歴と共に当該ホームページの特徴を表すジャンル情報、人名、キーワード等の付帯情報を含む履歴情報をユーザ端末のブラウザ内に保持しておく履歴情報保持手段を備え、別のユーザ端末は、通信回線を介して監視サーバからランキング又は統計処理の結果を受け取ると共にその結果に基づいて通信回線を介してユーザ端末から履歴情報を受け取り、別のユーザ端末のブラウザの小領域又は小ウインドウ若しくはブラウザに履歴情報を表示する際、当該履歴情報に関連した付帯情報をツリー表示することによってユーザ端末に記録されているホームページのアクセス履歴を水先案内として、内容の良いホームページに短時間で到達するようにしたことを特徴とする。
【００３１】
本発明の第三の態様は、本発明の第一の態様に係るブラウザ画面の表示方法を実行するためのプログラムを記録したコンピュータ読み取り可能な記録媒体を提供する。
【発明の効果】
【００３２】
本発明によれば、追加の機能ボタン及び／又は小領域を、ブラウザの主ウインドウではなく作業指示ボタン配置領域に表示させるため、それら追加の機能や小領域に記載の事項は、ユーザ端末のブラウザ画面に常に表示されし続けられることになる。すなわち、ホームページ間の移動が必要でなくなり、また、ホームページの移動に伴い表示されなくなることがない。
【００３３】
本発明によれば、監視サーバからユーザ端末に、定期的に若しくはランダムにアクセスして、又はユーザ端末から監視サーバにアクセスして、追加機能ソフトウエアで表示する内容を変更することにより、内容を常に斬新で魅力あるものとすることができる。さらに、ユーザ端末で表示する情報を、監視サーバに送ったデータを基に個人の嗜好に合致したものとすることができる。
【００３４】
本発明によれば、ユーザ端末の作業指示ボタン配置領域、すなわち、当該ブラウザの常に表示されている部分に設けられた追加の小領域で広告を行うことにより、広告がユーザの目に触れる機会を増大する。
【発明を実施するための最良の形態】
【００３５】
以下、本発明に係るブラウザ画面の表示方法、表示システム及び記録媒体について図示された好ましい実施の形態に基づいて詳しく説明する。
第１図は、本発明の第一の態様に係るブラウザ画面の表示方法の一実施例を示すフローチャートである。
【００３６】
ブラウザ画面の表示方法は、ブラウザ表示ソフトウエアをコンピュータにインストールする工程（ステップ１）と、そして、追加機能ソフトウエアをインストールする工程（ステップ２）とを有している。
【００３７】
ブラウザは、ブラウザ画面１０中にメニューバー、ツールバー等作業指示ボタン配置領域１２及び主ウインドウ１４を表示させるプログラムを含んでいる。第２図は、Ｍｉｃｒｏｓｏｆｔ Ｉｎｔｅｒｎｅｔ Ｅｘｐｌｏｒｅを用いて「技評の本屋さん」というホームページを開いた状態の説明図である。図示されているように、ブラウザ画面１０には、上部に配置された作業指示ボタン配置領域１２とブラウザで見ようとしている内容を表示する主ウインドウ１４とが設けられている。作業指示ボタン配置領域１２には、また、ブラウザで表示させようとする内容とは異なる追加の機能ボタン１２ａ及び／又は小領域１２ｂが設けられている。この機能ボタン１２ａ及び小領域１２ｂを作業指示ボタン配置領域１２に配置することにより、常時、ユーザ端末のブラウザ画面に表示され続けるようにした点に本発明の特徴がある。
【００３８】
追加の機能ボタン１２ａ及び／又は小領域１２ｂを、ブラウザの主ウインドウ１４ではなく作業指示ボタン配置領域１２に表示させるため、それら追加の機能は、ユーザ端末のブラウザ画面に常に表示され続けられることになる。すなわち、ホームページ間の移動や、いずれかのホームページを訪れるなどの必要がなくなる。
【００３９】
第１図に示された好ましい実施例では、さらに、ユーザ端末２０において追加機能ソフトウエアが起動された際、当該追加機能ソフトウエアによって、ユーザの応答を、通信回線２２を介して接続された所定の監視サーバ２４に送るようにしている（ステップ３）。
追加機能ソフトウエアに基いてユーザの応答、例えば、後述するホームページの評価、お好みのホームページの選択等が所定の監視サーバに自動的に送られる。これにより、監視サーバ２４は、追加機能ソフトウエアの利用率等を客観的に把握することができる。
【００４０】
さらに、図示された好ましい実施例では、通信回線を介して接続された監視サーバ２４側からユーザ端末２０に、又は、ユーザ端末２０から監視サーバ２４に定期的に若しくはランダムにアクセスして、追加機能ソフトウエアで表示する内容を変更する工程を有してなることを特徴とする。
監視サーバ２４からユーザ端末２０に定期的に若しくはランダムにアクセスして、又はユーザ端末から監視サーバにアクセスして、追加機能ソフトウエアで表示する内容を変更することにより、内容を常に斬新で魅力あるものとすることができる。さらに、ユーザ端末で表示する情報を、監視サーバに送ったデータを基に個人の嗜好に合致したものとすることができる。
【００４１】
本発明のブラウザ画面の表示方法は、ホームページの良し悪しを、ホームページを実際に見たユーザの評価結果を集めることにより決定するホームページ評価方法に応用することができる（第４図参照）。このホームページ評価方法は、評価ソフトとして機能するようにされた上述の追加機能ソフトウェアをインストールする工程（ステップ１０）と、検索キーワードを作業指示ボタン配置領域１２に設けられた小領域１２ｂへ入力する工程（ステップ１１）と、ユーザが作業指示ボタン配置領域１２に設けられた機能ボタン１２ａを用いて当該ホームページの評価を行う工程（ステップ１２）と、そして、キーワードと関連付けてホームページの評価をユーザ端末内に保持すると共に評価結果を監視サーバに送る工程（ステップ１３）とを備えて構成されている。スペースを多く必要とする場合には、別途ボタンを設けて小ウインドウを呼び出し、これら機能ボタン１２ａ及び／又は小ウインドウ１２ｂを表示する構成することもできる。
【００４２】
ユーザは、自己のユーザ端末においてブラウザ画面１０の作業指示ボタン配置領域１２に設けられた機能ボタン１２ａ及び小領域１２ｂを用いて、見ているホームページの評価をすることができる。これは、その評価を行う機能ボタン１２ａ及び小領域１２ｂが、ブラウザ画面１０の基本部分、すなわち、主ウインドウ１４の表示が変化してもそれ自身は常に変わることなく表示し続けられる作業指示ボタン配置領域１２に設けられているからである。
【００４３】
実際の評価にあたっては、ユーザは、先ず、見ているホームページの特徴を示す検索のキーワードとなる単語を小領域１２ｂに入力する。第２図の実施例では、「本屋」、「情報処理」の単語を入力する。もちろん、当該ホームページのジャンルがユーザの助けを借りなくても分かるようなシステムでは、小領域１２ｂの設置及びユーザによる検索キーワードの入力は省略することができる。次に、ユーザは、ホームページ評価手段である機能ボタン１２ａを用いて、例えば、〇、△、×ボタンのいずれかをクリックすることにより、当該ホームページの評価を行う。この評価は、キーワードと関連付けてユーザ端末内に保持される。
【００４４】
図示された好ましい実施例では、さらに、ユーザ端末２０において追加機能ソフトウエアが起動された際、当該追加機能ソフトウエアに基いてユーザの応答、ここでは、検索キーワード及びホームページの評価を通信回線２２を介して接続された所定の監視サーバ２４に送るようにしている（ステップ１４）。
これにより、監視サーバ２４は、各ホームページの評価統計やランキングを提供することができるようになる。かかる評価統計やランキングは、ユーザが内容の優れたホームページを探したいと欲する場合に、監視サーバ２４からそのようなユーザに提供するように構築することもできる。もちろん、監視サーバ２４は、追加機能ソフトウエアの利用率等を客観的に把握することもできる。
【００４５】
本発明のブラウザ画面の表示方法は、ユーザ端末で効率的に広告を行う広告方法に応用することができる。この広告方法は、作業指示ボタン配置領域１２に設けられる追加の小領域１２ｂを、広告スペースして利用するものである。
ユーザ端末の作業指示ボタン配置領域１２、すなわち、当該ブラウザ画面１０の中で変わらずに常に表示されている領域に設けられた追加の小領城１２ｂで広告を行うことにより、広告がユーザの目に触れる機会を増大する。この場合、機能ボタン１２ａは、その広告のＵＲＬにアクセスしたいというユーザのための「開く」ボタンとして利用することができる。
【００４６】
本発明のブラウザ画面の表示方法は、また、各種のホームページを検索するホームページ検索方法に応用することができる。この検索方法は、作業指示ボタン配置領域１２に配置される小領域１２ｂを検索のためのキーワードを入力する領域として利用するものである。この場合、機能ボタン１２ａは、その検索実行のための「検索」ボタンとして利用することができる。
【００４７】
ユーザ端末の作業指示ボタン配置領域１２、すなわち、当該ブラウザ画面１０の常に表示されている部分に設けられた追加の小領域１２ｂでサーチを行う。サーチ結果も、同様に、作業指示ボタン配置領域１２において表示する。一般に、作業指示ボタン配置領域１２は、２〜４行であるので、検索結果が表示可能行数を超えるような場合には、例えば、小ウインドウや第１４図に示されたものと同様のプルダウンメニュー１３として表示する。これにより、ホームページの候補は、作業指示ボタン配置領域１２又は小ウインドウ・プルダウンメニュー１３に表示される。従って、ユーザが複数のホームページに続けてアクセスする場合も、ホームページ間を行き来することなく、複数のホームページを簡単に連続してアクセスすることができる。
【００４８】
本発明のブラウザ画面の表示方法は、また、ホームページ評価方法をユーザに率先して行わせることができる投票勧誘方法に応用することができる（第５図参照）。この勧誘方法は、投票に参加するとその場で懸賞の当選を知らせることができるようにされた上述の追加機能ソフトウエアをインストールする工程（ステップ２１）と、ユーザ端末でホームページの評価を行ったことが認識された時、当選者の選定を自動的に行う工程（ステップ２２）、そして、当該ユーザ端末上で当選したことを表示する工程（ステップ２３）とを含んで構成されている。
【００４９】
本実施例は、本発明のブラウザ画面の表示方法を用いて各種のホームページの評価を行う際、ユーザが率先して投票するように勧誘するものである。具体的には、さらに投票に参加するとその場で懸賞の当選を知らせることができるようにされた上述の追加機能ソフトウエアをインストールし、ユーザ端末でホームページの評価を行ったことが認識された時それを監視サーバに送信し、当選者の選定を監視サーバ２４で自動的に行うようにする。そして、当選が出た場合その旨の信号を通信回線２２を介して当該ユーザ端末２０に送り、当該ユーザ端末上でその場で当選したことを表示する。スピード籤は、それ単独で宝くじとして販売されている程魅力のあるものである。かかるスピード籤の魅力により、ユーザは率先して投票するようになる。
【００５０】
本発明のブラウザ画面の表示方法は、また、より良いホームページを短時間に探し出すことができるＵＲＬ紹介方法に応用することができる（第６図参照）。初めに、ＵＲＬ紹介方法を実行させるＵＲＬ紹介ソフトとされた上述の追加機能ソフトウェアをユーザ端末２０にインストールする工程（ステップ３１）と、一のユーザ端末２０から他のユーザ端末２０に履歴情報の要求があった場合に、当該他のユーザ端末２０のブラウザに保持された履歴情報を、通信回線２２を介して、履歴情報の要求をした一のユーザ端末２０に送信する工程（ステップ３２）と、送信されてきた履歴情報を一のユーザ端末２０の作業指示ボタン配置領域１２又は小ウインドウに表示して、ユーザにいずれかのホームページを選択させる工程（ステップ３３）と、そして、選択されたホームページのＵＲＬの記述に従い当該ホームページにアクセスする工程（ステップ３４）とを備えている。より詳しくは、一のユーザ端末と他のユーザ端末が通信回線を介して接続され、他のユーザ端末がアクセスしたホームページの履歴情報が当該他のユーザ端末のブラウザ内に保持されるステップ、一のユーザ端末から他のユーザ端末に対して履歴情報の取得の要求があった場合に、他のユーザ端末のブラウザに保持された履歴情報が、通信回線を介して、履歴情報の取得を要求をしてきた一のユーザ端末に送信されるステップ、そして、送信されてきた履歴情報を一のユーザ端末に表示されたブラウザの小領域又は追加機能ソフトウェアが有する機能によって呼び出される小ウインドウに表示して、一のユーザ端末のユーザにいずれかのホームページを選択させ、選択されたホームページのＵＲＬの記述に従いホームページにアクセスするステップを備え、他のユーザ端末に記録されているホームページのアクセス履歴を水先案内として、内容の良いホームページに短時間で到達するようにしてなる。これにより、他のユーザ端末に記録されているホームページのアクセス履歴を水先案内として、内容の良いホームページに短時間で到達することができるようになる。例えば、友人や専門家のユーザ端末に記録されているホームページのアクセス履歴を有効利用して、内容の良いホームページに短時間で到達することができるようにするものである。
【００５１】
具体的には、各ユーザ端末２０において、アクセスしたホームページの履歴を自己のユーザ端末のブラウザに保持しておくことができる保持ソフトとされた上述の追加機能ソフトウェアをブラウザにインストールする。各人は、自己のユーザ端末２０の使用を通じて、各種ホームページへのアクセス履歴を保持ソフトに蓄積する。そして、一のユーザ端末から履歴情報の要求があった場合に、当該他のユーザ端末２０のブラウザに保持された履歴情報を、一のユーザ端末２０に送信する。一のユーザ端末２０において、送信されてきた履歴情報は、ブラウザ画面１０に表示される。ユーザは、その中からいずれかのホームページを選択する。これを受け、一のユーザ端末２０において、当該ユーザ端末のＣＰＵは、選択されたホームページのＵＲＬの記述に従い当該ホームページにアクセスする。
【００５２】
図示された好ましい実施例では、保持ソフトは、アクセスしたホームページのＵＲＬ履歴と共に当該ホームページの特徴を表すジャンル情報、人名、キーワード等の付帯情報を保持している（ステップ３５）。また、履歴情報を一のユーザ端末のブラウザ又は小ウインドウに表示する際、当該履歴情報に関連して付帯情報も表示される。このように、他のユーザ端末で保持されていた情報は、一のユーザ端末に送信されて作業指示ボタン配置領域１２に表示され、ユーザは、この中からいずれかのホームページを選択する。その際、ジャンル情報、人名、キーワード等の付帯情報は、適切なホームページを選択する上で役立つ。
【００５３】
次に、本発明の第二の態様に係るブラウザ画面の表示システムについて詳細に説明する。
第７図は、本発明の第二の態様に係るブラウザ画面の表示システムの一実施例を示すブロック図である。
【００５４】
本発明のブラウザ画面表示システム１００は、ユーザ端末２０内にブラウザ表示ソフトウエアを記録するメモリ１１０と、ＣＰＵ１２０と、通信プロトコル部１３０、キーボード等の外部入力装置１４０及びモニタ１５０を含んでいる。そして、ユーザ端末２０内には、ブラウザ表示制御部１２０ａと、そして、追加機能表示制御部１２０ｂとが設けられている。
コンピュータのメモリ１１０は、ブラウザに本発明のブラウザ画面の表示方法を実行させる表示ソフトウエアを記録する。ユーザ端末２０内のブラウザ表示制御部１２０ａは、メモリ１１０からブラウザ表示ソフトウエアを呼び出し、当該ブラウザ表示ソフトウエアに従って、モニタ画面１０に、少なくとも、メニューバー、ツールバー等作業指示ボタン配置領域１２及び主ウインドウ１４とを表示させる。ユーザ端末２０内の追加機能表示制御部１２０ｂは、ブラウザで表示させようとする内容とは異なる追加の機能ボタン１２ａ及び／又は小領域１２ｂ（第２図参照）を作業指示ボタン配置領域１２、すなわち、ブラウザ画面１０に常に現れている部位に表示する。これにより、操作性、利用率を増大する。
【００５５】
図示された好ましい実施例では、ユーザ端末２０において追加機能ソフトウエアが起動された際、当該追加機能ソフトウエアによって、ユーザの応答を、通信回線２２を介して接続された所定の監視サーバ２４に送るように構築されている。
【００５６】
第８図に示された実施例では、追加機能ソフトウエアで表示される内容が、通信回線を介して接続された監視サーバ２４からのユーザ端末２０への定期的又はランダムなアクセスにより変更されるようにされている。この監視サーバ２４内には、所定の又は全てのユーザ端末２０に定期的に又は不定期にアクセスするように制御するアクセス制御部２１０ａと、そして、アクセスしたユーザ端末２０において追加機能ソフトウエアで表示される内容を変更する内容変更制御部２１０ｂとが設けられる。なお、参照番号２３０は、通信プロトコル部であるが、以下の実施例では省略する。
【００５７】
次に、本発明のブラウザ画面の表示システムを、ホームページの評価システムとして用いる適用例について説明する。
第９図は、本発明のブラウザ画面の表示システムを、ホームページの評価システムとして用いた適用例のブロック図である。
ホームページの評価システム３００は、検索キーワード認識制御部３２０ａと、評価認識制御部３２０ｂと、評価結果保持制御部３２０ｃと、そして、人気度処理制御部３２０ｄとを含んでいる。
【００５８】
検索キーワード認識制御部３２０ａは、各ユーザ端末２０の作業指示ボタン配置領域１２に配置された小領域１２ｂへユーザが単語を入力した場合、それをホームページの特徴を示す検索のキーワードとして認識する。評価認識部３２０ｂは、追加機能ボタン１２ａ、例えば、「〇、△、×」ボタンのクリックを、アクセスした当該ホームページの評価と認識する。もちろん、機能ボタン１２ａは、他の形態、例えば、満足度を数字で入力するものや帯びグラフの任意の位置をクリックすることによって満足度を示すもの等でも良い。機能ボタン１２ａは、そのような概念を含むものである。
【００５９】
評価結果保持制御部３２０ｃは、評価結果を小領域１２ｂに入力されたキーワードと関連付けてユーザ端末２０内に保持させると共に、評価結果を監視サーバ２４に送る。この評価結果は、自動的に、監視サーバ２４に送信するようにすることも、あるいは、監視サーバ２４から収集しにくるように構築することもできる。本実施例の特徴は、このように、各ホームページの評価をキーワードと関連付ける点にある。ホームページの統計処理又はランキングもこのキーワード単位で、又は、複数の類似する若しくは同一の概念のキーワードをまとめたグループ単位で行うこともできる。
【００６０】
監視サーバ２４内に設けられた人気度処理制御部３２０ｄは、各ユーザ端末２０から通信回線２２を介して自動的に送られてくる又は監視サーバからユーザ端末２０に定期・不定期にアクセスして取ってくる評価結果を、例えば、キーワード毎にランキング又は統計処理する。本実施例は、このようにホームページの良し悪しを、そのホームページを実際に見たユーザの評価結果を集計処理することによって決定するため、その信頼度は格段に向上する。
【００６１】
次に、本発明のブラウザ画面の表示システムを、ホームページへの広告システムとして用いる適用例について説明する。
第１０図は、本発明のブラウザ画面の表示システムを、ホームページへの広告システムとして用いた適用例のブロック図である。ホームページへの広告システム４００は、概略的に、ユーザ端末２０内にメモリ４１０と、ＣＰＵ４２０と、そして、モニタ４５０とを含んでいる。メモリ４１０は、作業指示ボタン配置領域１２の小領域１２ｂに所定の広告、例えば、文字、静止画像、動画、テロップ等を表示させるソフトウエアを記録する。ユーザ端末２０内には、作業指示ボタン配置領域１２と主ウインドウ１４とからなるブラウザ画面を形成するブラウザ表示制御部４２０ａと、作業指示ボタン配置領域１２に広告スペースとしての小領域１２ｂを形成し、メモリ４１０内に記録された広告表示ソフトウエアに従って広告を提示する広告提示制御部４２０ｂとが設けられている。
【００６２】
図示された好ましい実施例では、機能ボタン１２ａは、小領域１２ｂに表示された広告の内容に興味を持った場合に、より詳しい情報を得るための「詳細」ボタンが割り当てられている。広告の内容は、前述のように、例えば、監視サーバ２４からの定期的な又はランダムなアクセスにより、変更又は更新されるようにすることもできる。
次に、本発明のブラウザ画面の表示システムを、ホームページの検索システムとして用いる適用例について説明する。
【００６３】
第１１図は、本発明のブラウザ画面の表示システムを、ホームページの検索システムとして用いた適用例のブロック図である。
ホームページへの紹介システム５００は、概略的に、ユーザ端末２０内にメモリ５１０と、ＣＰＵ５２０と、そして、モニタ５５０とを含んでいる。メモリ５１０は、作業指示ボタン配置領域１２の小領域１２ｂにユーザにより入力された検索のための単語を検索キーワードとして認識し、そして、機能ボタン１２ａのクリックを検索実行と認識するプログラムを含む検索ソフトウエアを記録する。ユーザ端末２０内には、作業指示ボタン配置領域１２と主ウインドウ１４とからなるブラウザ画面を形成するブラウザ表示制御部５２０ａと、作業指示ボタン配置領域１２に機能ボタン１２ａと小領域１２ｂを形成し、メモリ５１０内に記録された検索ソフトウエアに従って検索を実行する検索制御部５２０ｂとが設けられている。
【００６４】
検索制御部５２０ｂは、小領域１２ｂに入力された単語を検索キーワードとして、通信回線２２を介して検索サーバ２６に送り検索を実行する。検索結果は、通信回線２２を介してユーザ端末２０に戻され、ブラウザ画面１０の作業指示ボタン配置領域１２に表示される。検索結果の数に比べて表示すべきスペースが足り軽い場合には、プルダウンメニュー１３やポータルサイトを設定して表示する。
【００６５】
次に、本発明のブラウザ画面の表示システムにスピード籤形成機能を付加した実施例について説明する。
第１２図は、本発明に係るスピード籤を第９図のホームページ評価システムに付加した実施例のブロック図である。第９図の構成要素と同じ構成要素については同じ参照番号付してその詳細な説明を省略する。
【００６６】
本実施例の特徴は、ユーザ端末２０内に、検索キーワード認識制御部３２０ａ、評価認識制御部３２０ｂ及び評価結果保持制御部３２０ｃに加えてスピード籤形成制御部６２０ａが設けられている点である。スピード籤形成制御部６２０ａは、作業指示ボタン配置領域１２にメッセージウインドウを形成させる。第２図に示された好ましい実施例では、小領域１２ｂがこれを兼用している。すなわち、当選した瞬間に、小領域１２ｂの表示が当選を知らせるメッセージに変わる。このように、ユーザが投票に参加するとその場で懸賞の当選を知らせる。ユーザはスピード籤への興味により、本来ユーザにとってはメリットのない投票に対して率先して行うようになる。
【００６７】
図示された好ましい実施例では、さらに、監視サーバ２４内に、ユーザが投票に参加した場合にそれを認識して当選者を選定する当選者選定部６２０ｃに加えて投票した実績をポイント加算するポイント加算制御部６２０ｂが設けられている。ポイントがある数となった場合、賞品を贈呈する、あるいは、当選の確率を高める等、ユーザが投票を行いたいと欲するようなプレミアムを付加している。
【００６８】
次に、本発明に係るブラウザ画面の表示システムを、ホームページの紹介システムとして用いる適用例について説明する。
第１３図は、本発明のブラウザ画面の表示システムを、ホームページの紹介システムとして用いた適用例のブロック図である。
【００６９】
各ユーザ端末２０内には、履歴情報保持制御部７２０ａと、履歴情報取得制御部７２０ｂと、履歴情報表示制御部７２０ｃと、そして、選択ホームページアクセス制御部７２０ｄとが設けられている。
履歴情報保持制御部７２０ａは、各ユーザ端末にインストールされている保持ソフトに従って、アクセスしたホームページの履歴を自己のユーザ端末のブラウザに保持しておく。第１４図は、ユーザ端末に保持された履歴情報をツリー状に表示したもので、ＵＲＬはアドレス情報を表している。このように、各ユーザ端末は、種々のＵＲＬについての情報を有している。例えば、文学に詳しい友人、コンピュータに詳しい友人、音楽をやっている友人等、ユーザ端末のユーザは、色々な種類の友人、あるいは、専門家を知っている。そこで、彼らのユーザ端末にアクセスしてその履歴情報を利用する。これにより、それぞれのジャンルに詳しい人間が使用しているホームページ（当然、それは内容的に優れているホームページ）にアクセス可能となる。
【００７０】
履歴情報取得制御部７２０ｂは、一のユーザ端末２０から他のユーザ端末２０に履歴情報の要求をして、当該他のユーザ端末２０のブラウザに保持された履歴情報を、通信回線２２を介して取得する。履歴情報表示制御部７２０ｃは、履歴情報を自己のユーザ端末２０の作業指示ボタン配置領域１２に表示してユーザにいずれかのホームページを選択させる。表示すべき情報が多い場合には、第１４図に示したように小ウインドウ・プルダウンメニュー１３として表示する。
【００７１】
選択ホームページアクセス制御部７２０ｄは、ユーザにより選択されたホームページのＵＲＬの記述に従い当該ホームページにアクセスする。こうすることにより、他のユーザ端末２０に記録されているホームページのアクセス履歴を水先案内として、内容の良いホームページに短時間で到達することができる利点を有する。
【００７２】
図示された好ましい実施例では、ユーザ端末にインストールされている保持ソフトは、アクセスしたホームページのＵＲＬ履歴と共に当該ホームページの特徴を表すジャンル情報、人名、キーワード等の付帯情報１２ｃを保持している。そして、履歴情報を一のユーザ端末２０のブラウザに表示する際、当該履歴情報に関連して付帯情報１２ｃも表示する。これにより、ユーザは、適切なホームページを探し易くなる。
【００７３】
本発明の第三の態様は、本発明の第一の態様に係るブラウザ画面の表示方法を実行するためのプログラムを記録したコンピュータ読み取り可能な記録媒体に係る。
本発明は、図示された好ましい実施例に基づいて記載されているが、本発明の精神を逸脱することなく種々の修正又は変更が可能であり、本発明はそれらを含む概念である。
【図面の簡単な説明】
【００７４】
【図１】第１図は、本発明の第一の態様に係るブラウザ画面の表示方法の一実施例を示すフローチャートである。
【図２】第２図は、Ｍｉｃｒｏｓｏｆｔ Ｉｎｔｅｒｎｅｔ Ｅｘｐｌｏｒｅを用いて「技評の本屋さん」のホームページを開いた状態の説明図である。
【図３】第３図は、ユーザの応答を監視サーバに自動的に送信するように構築された本発明のブラウザ画面の表示システムのブロック図である。
【図４】第４図は、本発明のブラウザ画面の表示方法を、ホームページの評価方法に用いた適用例のフローチャートである。
【図５】第５図は、本発明に係るブラウザ画面の表示方法を、第４図のホームページ評価方法がユーザにより率先して行われるようすることができる投票勧誘方法に応用した適用例のフローチャートである。
【図６】第６図は、本発明に係るブラウザ画面の表示方法を、ＵＲＬ紹介方法に用いた適用例のフローチャートである。
【図７】第７図は、本発明の第二の態様に係るブラウザ画面の表示システムの一実施例を示すブロック図である。
【図８】第８図は、追加機能ソフトウエアで表示される内容が監視サーバのユーザ端末へのアクセスにより変更されるように構築されたブラウザ画面の表示システムの一実施例を示すブロック図である。
【図９】第９図は、本発明のブラウザ画面の表示システムを、ホームページの評価システムとして用いた適用例のブロック図である。
【図１０】第１０図は、本発明のブラウザ画面の表示システムを、ホームページへの広告システムとして用いた適用例のブロック図である。
【図１１】第１１図は、本発明のブラウザ画面の表示システムを、ホームページの検索システムとして用いた適用例のブロック図である。
【図１２】第１２図は、本発明に係るスピード籤を第９図のホームページ評価システムに付加した実施例のブロック図である。
【図１３】第１３図は、本発明のブラウザ画面の表示システムを、ホームページの紹介システムとして用いた適用例のブロック図である。
【図１４】第１４図は、ユーザ端末に保持された履歴情報をツリー状に表示したブラウザの説明図である。
【符号の説明】
【００７５】
１０      ブラウザ画面
１２作業指示ボタン配置領域
１２ａ      機能ボタン
１２ｂ      小領域
１４      主ウインドウ
２０      ユーザ端末
２２      通信回線
２４      監視サーバ
【図１】
0004778185.tif 000002
【図２】
0004778185.tif 000003
【図３】
0004778185.tif 000004
【図４】
0004778185.tif 000005
【図５】
0004778185.tif 000006
【図６】
0004778185.tif 000007
【図７】
0004778185.tif 000008
【図８】
0004778185.tif 000009
【図９】
0004778185.tif 000010
【図１０】
0004778185.tif 000011
【図１１】
0004778185.tif 000012
【図１２】
0004778185.tif 000013
【図１３】
0004778185.tif 000014
【図１４】
0004778185.tif 000015